(57)【要約】【課題】  交流電源により発生する可聴ノイズと電気的なノイズを減少させることができる電極を備えると共に、工程を単純化することのできるＥＬ素子及びその製造方法を提供すること。【解決手段】  絶縁基板上に透明電極層、発光層、絶縁層、背面電極層及び保護層が積層形成されたＥＬ素子において、前記保護層は第１及び第２保護層ででき、前記第１及び第２保護層間にノイズ減少用電極層を備えることを特徴とする。ノイズ減少用電極層は、導電性電極物質、例えばＡｇが印刷方法を利用して形成され、前記透明電極層と共に共通接地されて前記ＥＬ素子の電極中、一つと連結されることを特徴とする。【選択図】  図２
2004158451.tif 000002
【特許請求の範囲】
【請求項１】
絶縁基板上に透明電極層、発光層、絶縁層、背面電極層及び保護層が積層形成されたＥＬ素子において、
前記保護層は、第１及び第２保護層で成り立って、前記第１及び第２保護層間にノイズ減少用電極層が形成されていることを特徴とするＥＬ素子。
【請求項２】
請求項１において、前記ノイズ減少用電極層は、前記透明電極層とともに共通接地されたＥＬ素子の２つの電極中、１つと連結される事を特徴とするＥＬ素子。
【請求項３】
請求項１において、前記ノイズ減少用電極層は、導電性電極物質で成り立つことを特徴とするＥＬ素子。
【請求項４】
請求項３において、前記ノイズ減少用電極層としてＡｇが使用されることを特徴とするＥＬ素子。
【請求項５】
請求項１において、前記第１及び第２保護層は、外部から湿気が浸透するのを防ぐ保護膜としての役割と電極間を絶縁させるための絶縁膜としての役割をすることを特徴とするＥＬ素子。
【請求項６】
請求項５において、前記第１及び第２保護層としてポリエステルが使用されることを特徴とするＥＬ素子。
【請求項７】
絶縁基板上に透明電極層を形成する段階と、
前記透明電極層上に発光層を形成する段階と、
前記発光層上に絶縁層を形成する段階と、
前記絶縁層上に背面電極層を形成する段階と、
前記発光層、絶縁層及び背面電極層を覆うよう第１保護層を形成する段階と、
前記第１保護層上にノイズ減少用電極層を形成する段階と、
前記ノイズ減少用電極層を覆うよう第２保護層を形成する段階とを含むことを特徴とするＥＬ素子の製造方法。
【請求項８】
請求項７において、前記ノイズ減少用電極層は、導電性電極物質を印刷方法により前記第１保護層上に形成することを特徴とするＥＬ素子の製造方法。
【請求項９】
請求項７において、前記第１及び第２保護層は、外部から湿気が浸透することを防ぐ保護膜としての役割と電極間を絶縁させるための絶縁膜としての役割をすることを特徴とするＥＬ素子の製造方法。
【請求項１０】
請求項９において、前記第１及び第２保護層は、ポリエステルを印刷方法により形成されることを特徴とするＥＬ素子の製造方法。
【発明の詳細な説明】
【技術分野】
【０００１】
本発明は、携帯電話のバックライトに使用されるＥＬ素子に係り、詳しくは交流電源による可聴ノイズ及び電気的なノイズを減少させる事ができるＥＬ素子及びその製造方法（ＥＬ  ｄｅｖｉｃｅ  ｗｉｔｈ  ｅｌｅｃｔｒｏｄｅ  ｆｏｒ  ｎｏｉｓｅ  ｒｅｄｕｃｔｉｏｎ  ａｎｄ  ｆａｂｒｉｃａｔｉｏｎ  ｍｅｔｈｏｄ  ｔｈｅｒｅｏｆ）に関するものである。
【背景技術】
【０００２】
交流電源により駆動される無機ＥＬ素子は、駆動電源である交流電源の特性により電気的なノイズが生じる。特に、移動電話に使用される電源は直流電源であり、通常、移動電話は直流電源をインバーターにより交流と類似したサイン波(sine wave)型の電源に変換し、変換されたサイン波型の電源をＥＬ素子に入力して使われている。このように移動電話に使用される変形されたサイン波型の電源は電気的なノイズが生じ、また位相が変化する交流電源により誘電層の極性が変化することにより可聴ノイズを発生する。
【０００３】
図１は、従来の移動電話にバックライトに使用されるＥＬ素子の断面構造を図示したものである。
【０００４】
図１を参照すると、従来のＥＬ素子は、ＰＥＴ(ｐｏｌｙｅｔｈｙｅｎｅ  ｔｅｒｅｐｈｔｈａｌａｔｅ)フィルムのような透明絶縁基板１０上に第１電極としてＩＴＯでできた透明電極層１１が形成され、前記透明電極層１１上には発光層１２と誘電層としての絶縁層１３が順に形成され、前記絶縁層１３上には第２電極として背面電極層１４が形成され、前記発光層１２、誘電層１３及び背面電極層１４を包むように保護層１５が形成される。
【０００５】
また、従来のＥＬ素子は、前記保護層１５上に接地電極１６が形成され、前記接地電極１６上に絶縁用背面テープ１７が形成される。前記接地電極１６は銅板ででき、外部との絶縁のため背面テープ１７が付着される。
【０００６】
従来のＥＬ素子には、透明電極層１１と背面電極層１４が各々の前面電極と背面電極の２つの電極で使用されてインバーターの出力端（図面上には図示されてない）に連結され、これら２つの電極１１，１４には交流電源１８が入力される。また、接地電極１６は基板に接地させる。従って、従来のＥＬ素子は、インバーターの出力端に連結される２つの電極１１，１４と接地に連結される接地電極１６の３端子を備える。
【０００７】
この時、ＥＬ素子は、電源としてバッテリーの直流電源が使用されるため、バッテリーの直流電源をインバーターにより変形させ、変形されたサイン波型の交流電源ＡＣ １８を前記電極１１，１４に入力する。
【０００８】
従って、前述したような構造を持つＥＬ素子は、インバーターにより変形されたサイン波型の交流電源１８が２つの電極に作用する前記透明電極層１１と背面電極層１４に入力されると、発光層１２から光を発するようになる。
【０００９】
しかし、従来のＥＬ素子にはサイン波型の交流電源により電気的なノイズが生じ、また交流電源の位相が交代で変化することにより誘電層で可聴ノイズが生じるという問題点があった。
【００１０】
また、従来のＥＬ素子は、保護層上に接地電極１６として銅板を形成してノイズを減少させようとしたが、ＥＬ素子に別途の工程を持ち銅板を付着しなければならないうえ、更に接地電極を形成して基板と接地させなければならないという問題点があった。また、外部との絶縁のため絶縁テープを必ず銅板に付着させ包まなければならないので、工程が厄介で複雑な問題点があるだけでなく絶縁テープの付着が全面にかけて要求されるＬＣＤのバックライト用には適用可能だが、テープ付着が必要なかったり部分的にテープが付着される素子には適用が難しいという問題点があった。
【発明の開示】
【発明が解決しようとする課題】
【００１１】
従って、本発明は前記したような従来技術の問題点を解決するためのものであり、交流電源により発生する可聴ノイズと電気的なノイズを減少させることができる電極を備えたＥＬ素子及びその製造方法を提供することに目的がある。
【００１２】
本発明の他の目的は、ＥＬ素子の製造工程中にノイズ除去用電極を形成させることにより別途の銅板付着工程、接地電極形成工程及び絶縁テープ付着工程を排除させて工程を単純化することができるＥＬ素子及びその製造方法を提供することに目的がある。
【００１３】
本発明の他の目的は、ノイズ除去用電極を一体型に製作してさまざまな平板素子に作用可能なＥＬ素子及びその製造方法を提供することに目的がある。
【００１４】
本発明の他の目的は、別途のノイズ除去用銅板と接地電極のないＥＬ素子のみで２つの端子だけを形成してノイズを除去することができるＥＬ素子及びその製造方法を提供することに目的がある。
【課題を解決するための手段】
【００１５】
前記したような目的を達成させるため、本発明は絶縁基板上に透明電極層、発光層、絶縁層、背面電極層及び保護層が積層形成されたＥＬ素子において、前記保護層は、第１及び第２保護層でできていて、前記第１及び第２保護層との間にノイズ減少用電極層を具備するＥＬ素子を提供することを特徴とする。
【００１６】
また、本発明は、絶縁基板上に透明電極層を形成する段階と、前記透明電極層上に発光層を形成する段階と、前記発光層上に絶縁層を形成する段階と；上記絶縁層上に背面電極層を形成する段階と、前記発光層、絶縁層及び背面電極層を覆うよう第１保護層を形成する段階と、前記第１保護層上にノイズ減少用電極層を形成する段階と、前記ノイズ減少用電極層を覆うよう第２保護層を形成する段階を含むＥＬ素子の製造方法を提供することを特徴とする。
【００１７】
前記ノイズ減少用電極層は、導電性電極物質、例えばＡｇを印刷方法により第１保護層上に形成し、前記ノイズ減少用電極層は前記透明電極層とともに共通接地されてＥＬ素子の２つの電極中、１つと連結されることを特徴とする。また、前記第１及び第２保護層は外部から湿気が浸透することを防ぐ保護膜としての役割をすると同時に電極間を絶縁させるための絶縁膜としての役割をするもので、ポリエステルのような物質を印刷法により形成することを特徴とする。
【発明の効果】
【００１８】
本発明のＥＬ素子によると、保護層の間にノイズ減少用電極層を形成し、前記電極層を透明電極層に連結して共通接地させることにより、従来とは違って２端子電極を形成し交流電源による電気的なノイズ及び可聴ノイズを減少させることができるというメリットがある。
【００１９】
また、本発明はＥＬ素子を製造する工程中にノイズ除去用電極が形成され、保護膜により絶縁ができることにより、従来のように別途に銅板を付着し接地電極を形成して基板と接地させ、または絶縁テープを付着しなければならない煩わしさが排除されて工程を単純化することができる。従って、ＥＬ素子だけでノイズを除去でき、さまざまな平板表示装置に適用可能であるというメリットがある。
【発明を実施するための最良の形態】
【００２０】
以下、本発明の実施例を添付された図面を参照して説明すると次のようになる。
【００２１】
図２は、本発明の実施例による携帯電話のバックライトに使用されるＥＬ素子の断面構造を図示したものである。
【００２２】
図２を参照すると、本発明のＥＬ素子は、ＰＥＴフィルムのような透明絶縁基板２０上に第１電極としてＩＴＯでできた透明電極層２１が形成され、前記透明電極層２１上に蛍光層として発光層２２が形成される。そして、前記発光層２２上に誘電層として絶縁層２３が形成され、第２電極として背面電極層２４が形成される。
【００２３】
また、本発明のＥＬ素子は、前記発光層２２及び絶縁層２３と背面電極層２４を包むよう第１保護層２５が形成され、前記第１保護層２５上にノイズ減少用電極層２６が形成され、前記ノイズ減少用電極層２６を包むよう第２保護層２７が形成される。
【００２４】
前記ノイズ減少用電極層２６は、第１電極である透明電極層２１とともに共通接地され、共通接地された電極層２６はインバーター（図面上には図示されていない）の出力端中、１つの電極と連結されて基板と接地される。この時、前記ノイズ減少用電極層２６は、導電性の電極物質であればすべて可能であり、本発明の実施例ではＡｇのような金属性の電極物質を印刷方法により前記第１保護層２５上に形成する。この時、前記第１及び第２保護層２５，２７は外部から湿気が浸透することを防ぐと同時に電極間の絶縁層としての役割をすることで、耐湿、耐圧及び絶縁特性に優れた物質、例えばポリエスタル（ｐｏｌｙｅｓｔｅｒ）のような物質を印刷法により形成させる。
【００２５】
本発明のＥＬ素子は、２つの電極で使用される透明電極層２１と背面電極層２４にバッテリーの直流電源がインバーター（図面上には図示されていない）により変形されてサイン波型の交流電源ＡＣ ２８が入力されるため、発光層２２から光が発するようになる。
【００２６】
この時、第１保護層２５上にノイズ減少用電極層２６が形成され、前記電極層２６を透明電極層２１とともに共通接地させ前記電極層２６をインバーターの出力端中、１つの電極と連結させて基板を接地させることによって、交流電源により透明電極層２１と背面電極層２４から発生する電気的なノイズを減少させるのみでなく交流電源により誘電層で発生される可聴ノイズを減少させることができる。
【００２７】
本発明の望ましい実施例を参照し説明したが、該当技術分野の熟練された当業者は、下記の特許請求の範囲に記載された本考案の思想及び領域から外れない範囲内での本発明を多様に修正及び変更できることが理解できる。
【図面の簡単な説明】
【００２８】
【図１】従来の接地電極が形成されたＥＬ素子の断面構造図。
【図２】本発明の実施例によるＥＬ素子の断面構造図。
【符号の説明】
【００２９】
２０    透明絶縁基板
２１    透明電極層
２２    発光層
２３    絶縁層
２４    背面電極層
２５    第１保護層
２６    ノイズ減少用電極層
２７    第２保護層
２８    交流電源ＡＣ
【図１】
2004158451.tif 000003
【図２】
2004158451.tif 000004